【手続補正書】
【提出日】令和1年9月20日(2019.9.20)
【手続補正１】
【補正対象書類名】特許請求の範囲
【補正対象項目名】全文
【補正方法】変更
【補正の内容】
【特許請求の範囲】
【請求項１】
第１のユーザと、故人用のＳＮＳアカウントを管理する管理者とを利用者に含むＳＮＳを提供するＳＮＳサーバであって、
前記第１のユーザから、前記故人の没後に関わる情報を求めるリクエストを受信する受信部と、
前記リクエストに対する回答内容として、前記第１のユーザと前記故人との前記ＳＮＳ上の関係に応じたものを前記管理者に提示する提示部と、
を備え、
前記ＳＮＳ上の関係が、（１）前記故人が自身の没後に関わる情報を前記第１のユーザに伝えることを前記ＳＮＳ上で生前に許可していないが、前記故人が前記第１のユーザと前記ＳＮＳ上でのつながりを有している、というものである場合、又は、（２）前記ＳＮＳ上の関係が、前記故人が前記第１のユーザとは前記ＳＮＳ上でのつながりを有していないが、当該ＳＮＳサーバがアクセス可能な前記故人の連絡先及び当該ＳＮＳサーバがアクセス可能な前記管理者の連絡先の少なくとも一方に前記第１のユーザが含まれている場合、
前記提示部は、前記リクエストに対する回答内容として、少なくとも、前記故人に関する質問を問う選択肢を前記管理者に提示する、ＳＮＳサーバ。
【請求項２】
前記管理者が前記選択肢を選択したことに応答して、前記第１のユーザに前記質問を送信する送信部を備えており、
前記送信部は、前記第１のユーザによる回答、又は、前記第１のユーザによる回答が所定の基準を満たすかどうかの判断結果を前記管理者に送信する、請求項１に記載のＳＮＳサーバ。
【請求項３】
前記質問に対する前記第１のユーザによる回答が所定の基準を満たす場合、
前記送信部は、前記故人の没後に関わる情報を前記第１のユーザに送信する、請求項２に記載のＳＮＳサーバ。
【請求項４】
前記故人の葬儀場所、法事場所、墓、納骨地、骨壺及び仏壇の少なくとも一つには、前記故人用の二次元コードが設けられており、
前記故人の没後に関わる情報が前記第１のユーザに提供されることが許可された場合、前記故人の没後に関わる情報とともに、前記二次元コードのパスワードも前記第１のユーザに送信する送信部を備えた、請求項１に記載のＳＮＳサーバ。
【請求項５】
前記ＳＮＳ上の関係が、前記故人が自身の没後に関わる情報を前記第１のユーザに伝えることを前記ＳＮＳ上で生前に許可している、というものである場合、
前記提示部は、前記リクエストに対する回答内容として、少なくとも、前記故人の没後に関わる情報を前記第１のユーザに提供することを許可する選択肢を前記管理者に提示する一方、
前記ＳＮＳ上の関係が、前記故人が前記第１のユーザとは前記ＳＮＳ上でのつながりを有さず、かつ、当該ＳＮＳサーバがアクセス可能な前記故人の連絡先及び当該ＳＮＳサーバがアクセス可能な前記管理者の連絡先に前記第１のユーザが含まれていない場合、
前記提示部は、前記リクエストに対する回答内容として、少なくとも、前記故人の没後に関わる情報を前記第１のユーザに伝えることを拒否する選択肢を前記管理者に提示する、請求項１から４のいずれか一項に記載のＳＮＳサーバ。
【請求項６】
第１のユーザと、故人用のＳＮＳアカウントを管理する管理者とを利用者に含むＳＮＳを提供するＳＮＳサーバによって実行される方法であって、
前記第１のユーザから、前記故人の没後に関わる情報を求めるリクエストを受信するステップと、
前記リクエストに対する回答内容として、前記第１のユーザと前記故人との前記ＳＮＳ上の関係に応じたものを前記管理者に提示するステップと、
を含み、
前記ＳＮＳ上の関係が、（１）前記故人が自身の没後に関わる情報を前記第１のユーザに伝えることを前記ＳＮＳ上で生前に許可していないが、前記故人が前記第１のユーザと前記ＳＮＳ上でのつながりを有している、というものである場合、又は、（２）前記ＳＮＳ上の関係が、前記故人が前記第１のユーザとは前記ＳＮＳ上でのつながりを有していないが、当該ＳＮＳサーバがアクセス可能な前記故人の連絡先及び当該ＳＮＳサーバがアクセス可能な前記管理者の連絡先の少なくとも一方に前記第１のユーザが含まれている場合、
前記提示するステップは、前記リクエストに対する回答内容として、少なくとも、前記故人に関する質問を問う選択肢を前記管理者に提示することを含む、ＳＮＳサーバによって実行される方法。
【請求項７】
第１のユーザと、故人用のＳＮＳアカウントを管理する管理者とを利用者に含むＳＮＳを提供するＳＮＳサーバに、
前記第１のユーザから、前記故人の没後に関わる情報を求めるリクエストを受信することと、
前記リクエストに対する回答内容として、前記第１のユーザと前記故人との前記ＳＮＳ上の関係に応じたものを前記管理者に提示することと、
を実行させるプログラムであって、
前記ＳＮＳ上の関係が、（１）前記故人が自身の没後に関わる情報を前記第１のユーザに伝えることを前記ＳＮＳ上で生前に許可していないが、前記故人が前記第１のユーザと前記ＳＮＳ上でのつながりを有している、というものである場合、又は、（２）前記ＳＮＳ上の関係が、前記故人が前記第１のユーザとは前記ＳＮＳ上でのつながりを有していないが、当該ＳＮＳサーバがアクセス可能な前記故人の連絡先及び当該ＳＮＳサーバがアクセス可能な前記管理者の連絡先の少なくとも一方に前記第１のユーザが含まれている場合、
前記提示することは、前記リクエストに対する回答内容として、少なくとも、前記故人に関する質問を問う選択肢を前記管理者に提示することを含む、プログラム。
【請求項８】
利用者にＳＮＳを提供するＳＮＳサーバにネットワークを介して接続され、故人用のＳＮＳアカウントを管理する管理者の情報処理装置であって、
前記故人の没後に関わる情報を登録のため前記ＳＮＳサーバに送信する送信部と、
前記利用者の一人である第１のユーザから、前記ＳＮＳサーバに登録された前記情報を求めるリクエストがされた場合に、前記ＳＮＳサーバから、前記リクエストに対する回答内容として前記第１のユーザと前記故人との前記ＳＮＳ上の関係に応じて提示された回答内容を受信する受信部と、
を備え、
前記ＳＮＳ上の関係が、（１）前記故人が前記情報を前記第１のユーザに伝えることを前記ＳＮＳ上で生前に許可していないが、前記故人が前記第１のユーザと前記ＳＮＳ上でのつながりを有している、というものである場合、又は、（２）前記故人が前記第１のユーザとは前記ＳＮＳ上でのつながりを有していないが、当該ＳＮＳサーバがアクセス可能な前記故人の連絡先及び当該ＳＮＳサーバがアクセス可能な前記管理者の連絡先の少なくとも一方に前記第１のユーザが含まれている場合、
前記受信部が受信する回答内容には、少なくとも、前記故人に関する質問を問う選択肢が含まれる、管理者の情報処理装置。
【請求項９】
前記管理者が前記選択肢を選択した後、前記第１のユーザが前記質問に対して回答した場合、
前記受信部は、前記第１のユーザによる回答、又は、前記第１のユーザによる回答が所定の基準を満たすかどうかの判断結果を受信する、請求項８に記載の管理者の情報処理装置。
【請求項１０】
前記ＳＮＳ上の関係が、前記故人が前記情報を前記第１のユーザに伝えることを前記ＳＮＳ上で生前に許可している、というものである場合、
前記受信部が受信する回答内容には、少なくとも、前記情報を前記第１のユーザに提供することを許可する選択肢が含まれる一方、
前記ＳＮＳ上の関係が、前記故人が前記第１のユーザとは前記ＳＮＳ上でのつながりを有さず、かつ、当該ＳＮＳサーバがアクセス可能な前記故人の連絡先及び当該ＳＮＳサーバがアクセス可能な前記管理者の連絡先に前記第１のユーザが含まれていない場合、
前記受信部が受信する回答内容には、少なくとも、前記情報を前記第１のユーザに伝えることを拒否する選択肢が含まれる、請求項８又は９に記載の管理者の情報処理装置。
【請求項１１】
前記故人の葬儀場所、法事場所、墓、納骨地、骨壺及び仏壇の少なくとも一つには、パスワードが必要な前記故人用の二次元コードが設けられており、
前記第１のユーザが、ネットワークを介して前記ＳＮＳサーバと通信可能なモバイル端末を使用して、前記二次元コードを読み込んで前記パスワードを入力した場合に、前記受信部はその旨を前記ＳＮＳサーバから受信する、請求項８から１０のいずれか一項に記載の管理者の情報処理装置。
【請求項１２】
利用者にＳＮＳを提供するＳＮＳサーバにネットワークを介して接続され、故人用のＳＮＳアカウントを管理する管理者の情報処理装置によって実行される方法であって、
前記故人の没後に関わる情報を登録のため前記ＳＮＳサーバに送信するステップと、
前記利用者の一人である第１のユーザから、前記ＳＮＳサーバに登録された前記情報を求めるリクエストがされた場合に、前記ＳＮＳサーバから、前記リクエストに対する回答内容として前記第１のユーザと前記故人との前記ＳＮＳ上の関係に応じて提示された回答内容を受信するステップと、
を含み、
前記ＳＮＳ上の関係が、（１）前記故人が前記情報を前記第１のユーザに伝えることを前記ＳＮＳ上で生前に許可していないが、前記故人が前記第１のユーザと前記ＳＮＳ上でのつながりを有している、というものである場合、又は、（２）前記故人が前記第１のユーザとは前記ＳＮＳ上でのつながりを有していないが、当該ＳＮＳサーバがアクセス可能な前記故人の連絡先及び当該ＳＮＳサーバがアクセス可能な前記管理者の連絡先の少なくとも一方に前記第１のユーザが含まれている場合、
前記受信する回答内容には、少なくとも、前記故人に関する質問を問う選択肢が含まれる、管理者の情報処理装置によって実行される方法。
【請求項１３】
前記管理者が前記選択肢を選択した後、前記第１のユーザが前記質問に対して回答した場合、
前記第１のユーザによる回答、又は、前記第１のユーザによる回答が所定の基準を満たすかどうかの判断結果を受信するステップを含む、請求項１２に記載の管理者の情報処理装置によって実行される方法。
【請求項１４】
前記ＳＮＳ上の関係が、前記故人が前記情報を前記第１のユーザに伝えることを前記ＳＮＳ上で生前に許可している、というものである場合、
前記受信する回答内容には、少なくとも、前記情報を前記第１のユーザに提供することを許可する選択肢が含まれる一方、
前記ＳＮＳ上の関係が、前記故人が前記第１のユーザとは前記ＳＮＳ上でのつながりを有さず、かつ、当該ＳＮＳサーバがアクセス可能な前記故人の連絡先及び当該ＳＮＳサーバがアクセス可能な前記管理者の連絡先に前記第１のユーザが含まれていない場合、
前記受信する回答内容には、少なくとも、前記情報を前記第１のユーザに伝えることを拒否する選択肢が含まれる、請求項１２又は１３に記載の管理者の情報処理装置によって実行される方法。
【請求項１５】
利用者にＳＮＳを提供するＳＮＳサーバにネットワークを介して接続され、故人用のＳＮＳアカウントを管理する管理者の情報処理装置に、
前記故人の没後に関わる情報を登録のため前記ＳＮＳサーバに送信することと、
前記利用者の一人である第１のユーザから、前記ＳＮＳサーバに登録された前記情報を求めるリクエストがされた場合に、前記ＳＮＳサーバから、前記リクエストに対する回答内容として前記第１のユーザと前記故人との前記ＳＮＳ上の関係に応じて提示された回答内容を受信することと、
を実行させるプログラムであって、
前記ＳＮＳ上の関係が、（１）前記故人が前記情報を前記第１のユーザに伝えることを前記ＳＮＳ上で生前に許可していないが、前記故人が前記第１のユーザと前記ＳＮＳ上でのつながりを有している、というものである場合、又は、（２）前記故人が前記第１のユーザとは前記ＳＮＳ上でのつながりを有していないが、当該ＳＮＳサーバがアクセス可能な前記故人の連絡先及び当該ＳＮＳサーバがアクセス可能な前記管理者の連絡先の少なくとも一方に前記第１のユーザが含まれている場合、
前記受信する回答内容には、少なくとも、前記故人に関する質問を問う選択肢が含まれる、プログラム。
【請求項１６】
前記管理者が前記選択肢を選択した後、前記第１のユーザが前記質問に対して回答した場合、
前記第１のユーザによる回答、又は、前記第１のユーザによる回答が所定の基準を満たすかどうかの判断結果を受信することを含む、請求項１５に記載のプログラム。
【請求項１７】
前記ＳＮＳ上の関係が、前記故人が前記情報を前記第１のユーザに伝えることを前記ＳＮＳ上で生前に許可している、というものである場合、
前記受信する回答内容には、少なくとも、前記情報を前記第１のユーザに提供することを許可する選択肢が含まれる一方、
前記ＳＮＳ上の関係が、前記故人が前記第１のユーザとは前記ＳＮＳ上でのつながりを有さず、かつ、当該ＳＮＳサーバがアクセス可能な前記故人の連絡先及び当該ＳＮＳサーバがアクセス可能な前記管理者の連絡先に前記第１のユーザが含まれていない場合、
前記受信する回答内容には、少なくとも、前記情報を前記第１のユーザに伝えることを拒否する選択肢が含まれる、請求項１５又は１６に記載のプログラム。